【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】  インターフェースサポートフレームワークを利用してモバイルコンピューティング環境上で個人的経済情報を獲得するための方法であって、
（ａ）シンクライアントコンピュータ上で、ユーザ入力に部分的に基づいて照会を作成する動作と、
（ｂ）前記インターフェースサポートフレームワークを利用して、ネットワークに情報の照会を行う動作と、
（ｃ）前記インターフェースサポートフレームワークを介して、前記ネットワークから前記情報の照会に対する応答を受信する動作と、
（ｄ）前記シンクライアントコンピュータ上で、アプリケーションツールを利用して前記応答内の情報を処理する動作であって、前記応答内の情報は、ユーザによって提供された情報を含む１つ以上の個人的経済パターンテンプレートに基づいて、前記アプリケーションツールによってフィルタリングされ、各個人的経済テンプレートはユーザ個人を表す情報である、動作と、
（ｅ）前記１つ以上の個人的経済パターンテンプレートに基づいて選択された前記応答からの任意の情報を、前記ユーザに対して表示する動作と
を備える方法。
【請求項２】  インターフェースサポートフレームワークを利用してモバイルコンピューティング環境上で情報を獲得するための請求項１記載の方法であって、
１つの個人的経済パターンテンプレートは、複数のワードパターンを含む、方法。
【請求項３】  インターフェースサポートフレームワークを利用してモバイルコンピューティング環境上で情報を獲得するための請求項１記載の方法であって、
前記インターフェースサポートフレームワークはモバイルポータルサーバを含む、方法。
【請求項４】  インターフェースサポートフレームワークを利用してモバイルコンピューティング環境上で情報を獲得するための請求項１記載の方法であって、
前記インターフェースサポートフレームワークはインテリジェントエージェントプロセッサを含む、方法。
【請求項５】  インターフェースサポートフレームワークを利用してモバイルコンピューティング環境上で情報を獲得するための請求項１記載の方法であって、
前記インターフェースサポートフレームワークは、カスタマデータを照会するカスタマインテリジェンスフレームワークを含む、方法。
【請求項６】  インターフェースサポートフレームワークを利用してモバイルコンピューティング環境上で情報を獲得するための請求項１記載の方法であって、
前記インターフェースサポートフレームワークは、情報の暗号化と解読を行うためのセキュリティフレームワークを含む、方法。
【請求項７】  インターフェースサポートフレームワークを利用してモバイルコンピューティング環境上で情報を獲得するための請求項１記載の方法であって、
前記インターフェースサポートフレームワークは、第三者のコンテンツを獲得するためのインターフェースを含む、方法。
【請求項８】  インターフェースサポートフレームワークを利用してモバイルコンピューティング環境上で情報を獲得するための請求項１記載の方法であって、
前記インターフェースサポートフレームワークはモバイルクライアントのサポートを含む、方法。
【請求項９】  インターフェースサポートフレームワークを利用してモバイルコンピューティング環境上で個人的経済情報を獲得する装置であって、
（ａ）プロセッサと、
（ｂ）前記プロセッサの制御下において情報を格納するメモリと、
（ｃ）シンクライアントコンピュータ上で、ユーザ入力に部分的に基づいて照会を作成するロジックと、
（ｄ）前記インターフェースサポートフレームワークを利用して、前記ネットワークに情報の照会を行うロジックと、
（ｅ）前記インターフェースサポートフレームワークを介して、前記情報の照会に対する応答を前記ネットワークから受信するロジックと、
（ｆ）前記シンクライアントコンピュータ上で、アプリケーションツールを利用して前記応答内の情報を処理するロジックであって、前記応答内の情報は、ユーザによって提供された情報を含む１つ以上の個人的経済パターンテンプレートに基づいて、前記アプリケーションツールによってフィルタリングされ、各個人的経済テンプレートはユーザ個人を表す情報である、ロジックと、
（ｇ）前記１つ以上の個人的経済パターンテンプレートに基づいて選択された前記応答からの任意の情報を、前記ユーザに対して表示するロジックと
を備える装置。
【請求項１０】  コンピュータ読み取り可能な媒体上に組み込まれ、インターフェースサポートフレームワークを利用してモバイルコンピューティング環境上で個人的経済情報を獲得するコンピュータプログラムであって、
（ａ）シンクライアントコンピュータ上で、ユーザ入力に部分的に基づいて照会を作成するコードセグメントと、
（ｂ）前記インターフェースサポートフレームワークを利用して、ネットワークに情報の照会を行うコードセグメントと、
（ｃ）前記インターフェースサポートフレームワークを介して、前記ネットワークから前記情報の照会に対する応答を受信するコードセグメントと、
（ｄ）前記シンクライアントコンピュータ上で、アプリケーションツールを利用して前記応答内の情報を処理するコードセグメントであって、前記応答内の情報は、ユーザによって提供された情報を含む１つ以上の個人的経済パターンテンプレートに基づいて、前記アプリケーションツールによってフィルタリングされ、各個人的経済テンプレートはユーザ個人を表す情報である、コードセグメントと、
（ｅ）前記インターフェースサポートフレームワークを利用し、ユーザに対して情報を表示するコードセグメントと
を備えるコンピュータプログラム。
【請求項１１】  コンピュータ読み取り可能な媒体上に組み込まれ、インターフェースサポートフレームワークを利用してモバイルコンピューティング環境上で情報を獲得する請求項１０記載のコンピュータプログラムであって、
１つの個人的経済パターンテンプレートは、複数のワードパターンを含む、コンピュータプログラム。
【請求項１２】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークはモバイルポータルサーバを含む、コンピュータプログラム。
【請求項１３】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークはインテリジェントエージェントプロセッサを含む、コンピュータプログラム。
【請求項１４】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークは、カスタマデータを照会するカスタマインテリジェンスフレームワークを含む、コンピュータプログラム。
【請求項１５】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークは、情報の暗号化と解読を行うためのセキュリティフレームワークを含む、コンピュータプログラム。
【請求項１６】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークは、第三者のコンテンツを獲得するためのインターフェースを含む、コンピュータプログラム。
【請求項１７】  コンピュータ読み取り可能な媒体上に組み込まれ、インターフェースサポートフレームワークを利用してモバイルコンピューティング環境上で情報を獲得する請求項１０記載のコンピュータプログラムであって、
前記インターフェースサポートフレームワークはモバイルクライアントのサポートを含む、コンピュータプログラム。
【請求項１８】  請求項１記載の方法であって、
１つの個人的経済パターンテンプレートは、句読点で区切られたワードを識別し、大文字で始まる二つのワードを探し出してフルネームを識別し、タイムストリングをパースし、大文字で始まるワードからなる連続したフレーズを社名とトピックと場所の少なくとも一つとして識別するように構成されている、方法。